(57)【要約】      （修正有）【課題】ブレッドの支持の仕方を工夫し、本来の食感・食味を損なうことなく適切に焼成できるようにした、焼成パンの焼成補助調理器具を提供する。【解決手段】軸方向に延在する基体２と、基体２の少なくとも一端側に立設される端板３ａ、３ｂと、基体２の軸方向に端板３ａ、３ｂに対して移動可能に支持されて、対象の焼成パンを、塊毎にそれぞれ立位状態で支持する複数の可動板４と、複数の可動板４における各可動板４間の間隔を調節する可動板間隔調節部５と、を具備する。これにより、焼成対象の複数の塊毎に切り分けられた焼成パンの各塊をそれぞれ可動板４間に立位状態で挟むことで、各塊を可動板４に沿った形で支持され、各塊を好適に焼成することができる。【選択図】図１
2015051074.tif 000002
【特許請求の範囲】
【請求項１】
軸方向に延在する基体と、
該基体の少なくとも一端側に立設される端板と、
前記基体の軸方向に前記端板に対して移動可能に支持されて、対象の焼成パンを、塊毎にそれぞれ立位状態で支持する複数の可動板と、
該複数の可動板における各可動板間の間隔を調節する可動板間隔調節部と、を具備することを特徴とする焼成パンの焼成補助調理器具。
【請求項２】
前記基体は、前記複数の可動板を支持して、軸方向に伸縮調節可能な調節軸と、該調節軸に平行に配置され、前記可動板を軸方向に案内移動する案内軸部と、を有し、
前記可動板間隔調節部は、前記調節軸を軸方向に調節することで前記複数の可動板をそれぞれ軸方向に移動調節する回動操作部を備えたことを特徴とする請求項１記載の焼成パンの焼成補助調理器具。
【請求項３】
前記可動板間隔調節部は、少なくとも前記端板と隣接する可動板間に設けられ、それぞれの前記可動板間に、焼成対象の焼成パンの塊を、それぞれ立位状態で挟持するように付勢する付勢手段を具備する、ことを特徴とする請求項１記載の焼成パンの焼成補助調理器具。
【請求項４】
前記可動板間隔調節部は、前記可動板間に介在されたスペーサ部材を具備する、ことを特徴とする請求項１から３のいずれか１項に記載の焼成パンの焼成補助調理器具。
【請求項５】
前記基体の両端に立設された一対の端板間に取出し／持上げ用レバーが設けられている、ことを特徴とする請求項１から４のいずれか１項に記載の焼成パンの焼成補助調理器具。
【発明の詳細な説明】
【技術分野】
【０００１】
本発明は焼成パンの焼成補助調理器具に係り、特にハードクラスト系ブレッドを、適切に再焼成することで、本来の食感・食味を取り戻すことができるようにした、焼成パンの焼成補助調理器具に関する。
【背景技術】
【０００２】
古来、米を主食とする我が国では、近年、いわゆる食の欧米化からパンを主食とする食スタイルを採る人が増加している。それでもハードクラスト系ブレッドでは欧米と異なり、裸で店頭に陳列、持ち帰るとき包装されるか製造工場で包装され店頭に陳列販売するようにしてきた。
ハードクラスト系ブレッドは、裸で店頭に陳列されると欧米に比べ、我が国は降雨量が多く高湿度のため、クラスト（表層部分）は湿気を含んで軟弱化する。
また包装したものにあっては、クラム（内層部分）の水分がクラストに吸収されてしまい、クラストは軟弱化する。
そのため、消費者がハードクラスト系ブレッドを手に入れて、パンを焼き、口に入れる頃には、クラストは柔らかく柔軟になり、本来のハードクラスト系ブレッドの食味食感は失われている。
【０００３】
欧米ではハードクラスト系ブレッドをそのまま食事に提供されるか、出来立て時の食味・食感を取り戻すために、大きなブロックに切断してオーブン式加熱器（オーブントースター）で加熱して食卓に提供するようにしている。
ここで、食卓に提供されたブロックは、この場合クラストはクリスピーになるまで加熱してもクラムは垂直に置かれているため熱の吸収がクラストより少ないためクラムの乾燥は少ない。
また、ブロックであるがため、スライスされたブレッドに比較し体積が大きく、クラムの乾燥した部分が少ないため、好適な食感維持の大きな妨げとはならない。
さらに、再加熱されない場合でも、湿度が低くまた包装されないなどのためにクラストは柔軟化しにくく、乾燥したクリスピーな状態に保たれる。
【０００４】
これに対して、我が国では、食文化、すなわち食の様式の違いから、ハードクラスト系ブレッドに関しては、通常２〜４センチ厚さにスライスしたブレッドとして提供されることが多い。
すなわち、我が国では、高湿度の気候と製品を包装しているため、再加熱しないハードクラスト系ブレッドのクラストは軟化して、クラストのクリスピー感、クラムのフンワリ感はなくなり、全体として噛み切りにくい、弾力が有る団子のような食感となり、しかも小麦粉の香ばしい香りは消失してしまうことが多い。
【０００５】
また、ハードクラスト系ブレッドを０．５〜４ｃｍにスライスする際、クリスピーな状態でスライスするとクラストが剥離、クラスト片が飛散するという厄介な事態が起こる。
かかる事態を避けるために、パン用スライスナイフを用い軽減することもできるが、用具の準備、専用ナイフを用いても完全に剥離・飛散を止めることはできない。
このような取り扱いの困難性と食べ物の破片が机・床等に飛散することは本来、日本人の感覚にはなじまない違和感のあるものであり、消費意欲と食欲増進の妨げの要因ともなっている。
【０００６】
ところで、ハードクラスト系ブレッドの本来の食感を取り戻すために、スライスしてオーブン式トースターで再焼成、すなわちトースト（再加熱）することになると、器具類の構造、機能から、スライスされたブレッドは、水平に置かざるを得なくなり、クラムに多くの熱量が吸収され、クラムは乾燥してしまう。
クラストは水平に置かれているため、熱源からの輻射熱を受ける熱量がクラムより少なく、クラストがクリスピーで香ばしい食味食感になるまで、再焼成すると、クラムは乾燥し、いわゆるラスクのようになり本来の食味食感を再現することは困難である。
【０００７】
ここで、従来、特許文献１にフランスパンを焼き上げる方法として自動製パン機が開示されている。
この自動製パン機のフランスパンコースの調理シーケンスは、塩を含む食材を調理開始時にセットする通常フランスパンコースと、調理工程実施中に前記食材の塩を投入する後塩投入フランスパンコースを備えたもので、塩を調理工程実施中に投入することで、パン生地のグルテンを引き締めて、パン生地に弾力を持たせ、ボリューム感のある風味良いフランスパンの調理をすることができるとしている。
【０００８】
一方、特許文献２では、いわゆるパンのトーストについてではないが、ピザ用クラストを得るために、冷凍、解凍後もクリスピー性の食感を有し、また、電子レンジ加熱でもクリスピー性が損なわれないとしている。
そのために、発酵を終えたドウを１８０〜３５０℃の温度で焼成させて水分量減少させた後、１８０〜３５０℃の温度で油ちょうすることによって、さらに水分量を減少させることによって製造する。得られたピザ用クラストは、水分量が０．５〜１５重量％及び油脂含量が５〜４０重量％で、冷凍、解凍後に加熱調理すると、好ましいクリスピー性を有し、風味が良好なピザが得られるとしている。
【先行技術文献】
【特許文献】
【０００９】
【特許文献１】特開２０１２−４５０１７号公報
【特許文献２】特開平１０−２７６６６６号公報
【発明の概要】
【発明が解決しようとする課題】
【００１０】
しかしながら、特許文献１では、自動製パン機によるフランスパンの製法であり、焼成後のフランスパンをトーストすることについて記載されているわけではなく、ハードクラスト系のスライスする際のクラストの剥離・飛散・スライス又はブロック状のパンの両端のクラムの乾燥等々の問題点を解決するものではない。
また、特許文献２はいわゆるパンをトーストすることについてではなく、ピザ用クラストを得るために、冷凍、解凍後もクリスピー性の食感を有し、また、電子レンジ加熱でもクリスピー性が損なわれないとしたもので、スライスハードクラスト系ブレッドを対象にしたものでなく、ハードクラスト系のスライスする際のクラストの剥離・飛散・スライス又はブロック状のパンの両端のクラムの乾燥等々の問題点を解決するものではない。
本発明は以上のような背景から提案されたものであって、ハードクラスト系ブレッドを適切にトーストできるように、ブレッドの支持の仕方を工夫し、本来の食感・食味を損なうことなく適切に再焼成できるようにした、焼成パンの焼成補助調理器具を提供することを目的とする。
【課題を解決するための手段】
【００１１】
上記課題を解決するために、請求項１記載の本発明では、軸方向に延在する基体と、基体の少なくとも一端側に立設される端板と、基体の軸方向に端板に対して移動可能に支持されて、対象の焼成パンを、塊毎にそれぞれ立位状態で支持する複数の可動板と、複数の可動板における各可動板間の間隔を調節する可動板間隔調節部と、を具備することを特徴とする。
【００１２】
これにより、焼成対象の複数の塊毎に切り分けられた焼成パンの各塊をそれぞれ可動板間に立位状態で挟むことで、各塊を可動板に沿った形で支持され、各塊を好適に焼成することができる。
【００１３】
また、請求項２記載の本発明では、基体は、複数の可動板を支持して、軸方向に伸縮調節可能な調節軸と、調節軸に平行に配置され、可動板を軸方向に案内移動する案内軸部と、を有し、可動板間隔調節部は、調節軸を軸方向に調節することで複数の可動板をそれぞれ軸方向に移動調節する回動操作部を備えたことを特徴とする。
【００１４】
これにより、焼成対象の複数の塊毎に切り分けられた焼成パンの各塊を、脱落することなく、支持することができる。
【００１５】
また、請求項３に記載の本発明では、可動板間隔調節部は、少なくとも端板と隣接する可動板間に設けられ、それぞれの可動板間に、焼成対象の焼成パンの塊を、それぞれ立位状態で挟持するように付勢する付勢手段を具備する、ことを特徴とする。
【００１６】
これにより、厚さの異なる塊を可動板間に保持して、好適に焼成することができる。また、ハードクラスト系ブレッドの全体量、すなわち容積に合わせて任意の厚さに切り分けられた各塊で適切に焼成することができる。
【００１７】
また、請求項４に記載の本発明では、可動板間隔調節部は、可動板間に介在されたスペーサ部材を具備する、ことを特徴とする。
【００１８】
これにより、各可動板は、焼成パンの切り分けられた各塊を、各可動板間に装入する際に、各可動板同士が密接して隙間が無くなることにより、装入しづらくなるのを防止することができる。
【００１９】
さらに、請求項５に記載の本発明では、基体の両端に立設された一対の端板間に取出し／持上げ用レバーが設けられている、ことを特徴とする。
【００２０】
これにより、焼成後の取出しが容易となる。
【発明の効果】
【００２１】
本発明によれば、焼成または購入後、時間が経過したハードクラスト系ブレッドを、家庭または食堂等でスライスして食卓に提供するに際し、既存のオーブンタイプの加熱器を用い、立てた状態で焼くことができるので、本来の焼きたての食味・食感・風味を良好に再現することができる。
【図面の簡単な説明】
【００２２】
【図１】本発明に係る焼成パンの焼成補助調理器具の第１実施形態を示す、外観斜視図である。
【図２】図１に示す焼成補助調理器具の平面図である。
【図３】図１に示す焼成補助調理器具をトースターに配置して焼成する際の斜視図である。
【図４】本発明に係る焼成パンの焼成補助調理器具の第２実施形態を示す、外観斜視図である。
【図５】図４に示す焼成補助調理器具の平面図である。
【図６】本発明に係る焼成パンの焼成補助調理器具の第３実施形態を示す、外観斜視図である。
【図７】図６に示す焼成補助調理器具の平面図である。
【図８】本発明に係るハードクラスト系ブレッドの本発明に係る焼成パンの焼成補助調理器具の第４実施形態を示す平面図である。
【図９】図８に示す焼成補助調理器具の要部を拡大して示した斜視図である。
【図１０】本発明に係る焼成パンの焼成補助調理器具の第５実施形態を示す、外観斜視図である。
【発明を実施するための形態】
【００２３】
以下、図面を参照して本発明の好適な実施形態を例示的に詳細に説明する。但しこの実施形態例に記載されている構成部品の寸法、材質、形状、その相対的配置等は特に記載がない限りは、この発明の範囲をそれに限定する趣旨でなく、単なる説明例に過ぎない。
【００２４】
（第１実施形態）
図１に第１実施形態に係る焼成パンの焼成補助調理器具１を示す。なお、ここでの焼成パンは、特には、ハードクラスト系ブレッドを挙げて説明する。
この焼成補助調理器具１は、基体２の両端に固定され、対向するように配置した一対の端板３ａ、３ｂと、基体２に移動可能に設けられて、対象の焼成パンを、塊毎にそれぞれ立位状態で指示する複数の可動板４と、複数の可動板４における各可動板４間の間隔を調節する可動板間隔調節部５と、を具備する。
なお、焼成補助調理器具１に使用する素材、すなわち端板３ａ、３ｂや可動板４は、金属板でアルミ、ステンレス等を用い、金属板は厚さ１〜２ｍｍ（０．５〜２ｍｍ）とするのが好ましい。
【００２５】
基体２は、複数の可動板４の下部側中心部に挿通して可動板４を、それぞれ軸方向に移動可能とする調節軸６と、調節軸６に平行に可動板４に挿通され、可動板４を軸方向に案内移動する３つの案内軸部７とを有する。
調節軸６は、固定パイプ６ａと固定パイプ６ａに螺入進退可能なネジシャフト６ｂとを具備する。
３つの案内軸部７は、それぞれ、ガイドパイプ７ａとガイドパイプ７ａに進退可能な可動軸７ｂとを具備する。これら調節軸６の固定パイプ６ａの端部は、一対の端板３ａ、３ｂのうちの一つの端板３ａの下部中央部位に固定され、３つの案内軸部７のうち、２つの案内軸部７におけるガイドパイプ７ａの端部は、端板３ａの下部両側部位に固定される。そして残りの案内軸部７は、ガイドパイプ７ａの端部が端板３ａの中央側部寄りの位置に固定され、対向する端板３ｂに向かってガイドパイプ７ａおよび可動軸７ｂを中央側部寄りの位置を貫いて、可動軸７ｂ先端が対向する端板３ｂに固定されている。
端板３ａ、３ｂの下部中央部位を貫く調節軸６を挟んで下部両側部位に位置する２つの案内軸部７間の距離は、対象の焼成パンの塊の底部寸法に対応し、焼成パンの塊の底部を調節軸６と２つの案内軸部７とで脱落しないように支持するようになっている。
そして、調節軸６の固定パイプ６ａとネジシャフト６ｂとにおいて、一対の端板３ａ、３ｂのうちの他の端板３ｂの下部中央部位に、ネジシャフト６ｂの端部が貫通し、ネジシャフト６ｂを回動させて、ネジシャフト６ｂを固定パイプ６ａに進退させる回動操作部８を備えている。回動操作部８は、ネジシャフト６ｂの端部が固定された端板３ｂの下部外側面に突出している。
なお、調節軸６の固定パイプ６ａとネジシャフト６ｂとは、ほぼ同程度の長さとして再焼成対象のブレッドの量により１〜１／２の器具長に調整可能としている。
【００２６】
そして、焼成補助調理器具１には、基体２の両端に固定された一対の端板３ａ、３ｂ間に取出し／持上げ用レバー９が設けられている。
取出し／持上げ用レバー９は、軸部材を用いて加工され、端板３ａ、３ｂにそれぞれ回動可能に軸着された回動軸９ａ、９ａと、これら回動軸９ａ、９ａ先端に連結した操作軸９ｂとで構成される。回動軸９ａ、９ａと操作軸９ｂとは、それぞれリング状に湾曲加工した先端リング部９ａｌ、９ｂｌを介して連結している。また、操作軸９ｂは中間部を中心として、くの字状に屈曲され、中間部に中央リング部９ｂｒが形成されている。そして、かかる操作軸９ｂの中央リング部９ｂｒに、取出し／持上げ操作用の操作棒１０の先端フック１０ｆを引っ掛けて、焼成補助調理器具１をトースター（後述）から取出して持ち上げ可能としている。なお、取出し／持上げ用レバー９の端板３ａ、３ｂにおける軸着箇所近傍には、取出し／持上げ用レバー９を持ち上げた際に回動軸９ａ、９ａが必要以上（例えば軸着箇所中心に略１００度）に回動しないように阻止する突起部９ｔが設けられている。
【００２７】
次に、以上のような焼成補助調理器具１を用いて、ハードクラスト系ブレッドＢの調理手順を説明する。
ハードクラスト系ブレッドＢを適当な厚さに切り分ける。切り分けられた各塊、すなわち各ブロックＢｐは、調理者が目分量で切り分けたもので、厚さにばらつきがある。
【００２８】
次に調理者は、回動操作部８を回動操作し、基体２の固定パイプ６ａにネジシャフト６ｂを螺入進退させ、基体２の長さ、すなわち、一対の端板３ａ、３ｂ間の距離を調節することができる。
これにより、基体２上の複数の可動板４間を調節することができる。
【００２９】
次いで調理者は、各可動板４間に切り分けられた各ブロックＢｐを載置して、回動操作部８を回動操作して各可動板４間の間隔を調節し、各ブロックＢｐは可動板に接触する。（図２参照）。
【００３０】
そして、焼成補助調理器具１の上下に配置されるオーブントースターＯｔの熱源を起動させ、可動板４に沿った状態で支持されたハードクラスト系ブレッドＢの各ブロックＢｐに対し、加熱を行う（図３参照）。
【００３１】
これにより、ハードクラスト系ブレッドＢの各ブロックＢｐは、クラストに上下熱源の輻射熱がクラムに対し多く輻射される。
一方、熱風循環式の場合にあっては、クラストが直接熱風に接触するためクラムに対し、多くの熱量がクラストに吸収される。
【００３２】
切り分けられたハードクラスト系ブレッドＢの各ブロックＢｐは、隣接する可動板４に接触して立てた状態に保持され、上下の熱源からの輻射熱はクラストにより遮断されているため、クラストに比較しクラムに吸収される熱量は少ない。
一方、熱風循環式の加熱器にあっては、クラムは可動板４に挟まれているためクラムに比較し吸収される熱量は少ない。
【００３３】
さらに、上下熱源方式、熱風循環方式または併用されているオーブンでは、クラストの水分は蒸散し、クラムはクラストより温度が低いからクラストの水分の１部はクラムに吸収されクラムの乾燥防止に寄与することができる。
また、クラムは隣接する可動板４に挟まれているため、可動板４からの伝熱と、クラストからの伝熱により加温されスポンジ小組織は柔軟になる。
【００３４】
可動板４に挟まれたクラムは加熱され品温は高くなり、水分の蒸散が発生するが可動板４に接触しているため密封された状態となり可動板４とクラムの極微小な空間の空気の水分は飽和に達し、クラムからの水分の蒸散は少なくなる。
可動板４がほぼ密着状態でクラムに接しているためクラムからオーブン内に蒸発する水分は微小である。
これらのことよりハードクラス系のスライスブレッドＢを本実施形態の焼成補助調理器具１で再焼成すると本来のクラストはパリッとクリスピーで香ばしく、クラムはフンワリとして小麦と醗酵のかぐわしい香りを再現することができる。
【００３５】
なお、再焼成調理に要する加熱時間は通常家庭で食パンをトーストするオーブン内温度１５０〜２５０℃、５〜２分程度と同程度で特別な操作、時間は必要としない。
【００３６】
トーストが終わったら、調理者は、取出し／持上げ用レバー９を操作して、焼成補助調理器具１をオーブントースターＯｔから取り出す。調理者は、取出し／持上げ操作用の操作棒１０の先端フック１０ｆを操作軸９ｂの中央リング部９ｂｒに引っ掛けて、焼成補助調理器具１を取り出すことができる。
このとき、焼成補助調理器具１が調節軸６の軸周りに傾くようなことがあっても、ハードクラスト系ブレッドＢの各ブロックＢｐは、底部を調節軸６と２つの案内軸部７とで支え、側部を端板３ａ、３ｂ中央側部寄りの位置を貫いて設けられる案内軸部７で支えられているので、各ブロックＢｐは、焼成補助調理器具１から脱落することはない。
焼成補助調理器具１をオーブントースターＯｔから取出して、焼成補助調理器具１を持ち上げると、端板３ａ、３ｂに軸着された回動軸９ａ、９ａが、先端リング部９ａｌ、９ｂｌを焼成補助調理器具１の上方に向かって回転するが、取出し／持上げ用レバー９の端板３ａ、３ｂにおける軸着箇所近傍に設けた突起部９ｔにより、回動軸９ａ、９ａが、例えば軸着箇所中心に略１００度以上に回動しないように阻止することで、可動板４間に挟んだ状態のハードクラスト系ブレッドＢの各ブロックＢｐを可動板４間から脱落しないように保持することができる（図３参照）。
【００３７】
（第２実施形態）
焼成補助調理器具１は、以下のように構成することもできる。
すなわち、図４、図５に示すように、焼成補助調理器具１には、一対の端板３ａ、３ｂ間の複数の可動板４間に、可動板間隔調節部５として、再焼成対象の複数ブロックに切り分けられたハードクラスト系ブレッドＢの各ブロックＢｐを、それぞれ立位状態で挟持するように付勢する付勢手段２０を設けることができる。
この場合の焼成補助調理器具１では、基体２は中央軸方向と、中央軸の両側方向と、側面に平行に配置した４本の所定長のガイドパイプ２１からなる。
かかる４つのガイドパイプ２１は、それぞれのガイドパイプ２１の両端部は１対の端板３a、３bの端板の下部中央、端板３ｂの下部両側部位、側面縦位置に固定される。
【００３８】
そして、ガイドパイプ２１の端部側に固定される端板３ｂと可動板４間に配設される付勢手段２０は、コイルスプリングであり、かかるコイルスプリングの付勢力によって、ハードクラスト系ブレッドＢの切り分けられたブロックＢｐを可動板４間に保持されるようになっている。
【００３９】
かかる第２実施形態によれば、厚さの異なるブロックＢｐを可動板４間に保持して、好適に焼成することができる。また、ハードクラスト系ブレッドＢの全体量、すなわち容積に合わせて任意の厚さに切り分けられた各ブロックＢｐで適切に焼成することができる。
【００４０】
本発明は、以下の第３実施形態によっても実施することができる。
（第３実施形態）
第３実施形態にかかる焼成補助調理器具１では、４本のガイドパイプ２１に、複数の可動板４が可動板間隔調節部５としてスペーサ部材３０を介して挿通されている（図６、図７参照）。
かかるそれぞれ４本のガイドパイプ２１の端部が一対の端板３ａ、３ｂのうちの一つの端板３ａの下部中央部位、端板３ａの下部両側部位、それぞれのガイドパイプ２１の両端部は１対の端板３a、３bの端板の下部中央、端板３a、３ｂの下部両側部位、側面縦位置に固定される。
【００４１】
スペーサ部材３０が存在することで各可動板４は、ハードクラスト系ブレッドＢの切り分けられたブロックＢｐを各可動板４間に装入する際に、各可動板４同士が密接して隙間が無くなることにより、装入しづらくなるのを防止することができる。
切り分けたブレッドＢｐを２枚の可動板４に差し込みやすく間隔を広げるために可動板４の間に３〜５ｍｍ程度のアルミ又はステンレスのパイプを焼成補助調理器具１も下部水平移動する可動軸に差し込み可動板４同士の間隔を保つことができる。
【００４２】
以上、本発明に係る焼成補助調理器具１についての実施形態を挙げ、説明した。
本発明に係る焼成補助調理器具１は、図８、図９に示すように構成することもできる。
例えば、第２実施形態の変形例として、付勢手段２０であるコイルスプリングの各ピッチを構成する各コイル部２０ｃｐが、それぞれ、複数の可動板４に差し込まれ、全ての可動板４を、付勢手段２０における各コイル部２０ｃｐの付勢下に、伸縮軸部２１におけるガイドパイプ２１上を可動板４間の間隔が狭まる方向に付勢されるようになっている。
【００４３】
かかる焼成補助調理器具１によれば、付勢手段２０を構成する各コイル部２０ｃｐによって及ぼされる、各可動板４間の間隔が狭まる方向の付勢力により、一層、好適に厚さの異なるブロックＢｐを可動板４間に保持することができ、ハードクラスト系ブレッドＢの容積に合わせて任意の厚さに切り分けられた各ブロックＢｐで適切に焼成することができる。
【００４４】
さらに、本発明に係る焼成補助調理器具１は、図１０に示すように構成することもできる。
すなわち、可動板間隔調節部５として、基体２が例えばステンレス等の金属棒で形成され、図中、互いにａ方向に、スライド可能に配置した２つの枠体２ａ、２ｂからなる。これら枠体２ａ、２ｂは、それぞれ横枠２ａｈと横枠２ａｈに一体的に立設した縦枠２ａｖ、２ｂｖとを有する。縦枠２ａｖ、２ｂｖは、高さが２ａｖ＞２ｂｖとなっており、縦枠２ａｖには可動板４ｈが、縦枠２ｂｖには可動板４ｌが差し込まれて、支持されるようになっている。
【００４５】
このような焼成補助調理器具１によれば、高さの異なる可動板４ｈ、４ｌを交互に並べて配列スライスブレッドを挿入するときに間隙を作りやすくした構造とすることができる。
なお、かかる焼成補助調理器具１の構造は、上述のように基体２における各枠体２ａ、２ｂの横枠２ａｈと横枠２ａｈにそれぞれ一体的に立設した縦枠２ａｖ、２ｂｖに可動板４ｈ、４ｌが差し込まれるようになっているため、全体ががたつくことのない構造的な強度がもたらされる。
このため、ハードクラスト系ブレッドＢを再焼成後、オーブントースターＯｔから取出された後、食卓にハードクラスト系ブレッドＢの各ブロックＢｐを可動板４ｈ、４ｌ間に挟んだ状態で、置いておくことができる。この際、焼成補助調理器具１は基体２を卓上に、あるいは基体２の端に差し込まれた可動板４ｈ、４ｌを下にして基体２を卓上に対して鉛直状に立てた状態で置くことができる。
したがって、食事の直前まで、ハードクラスト系ブレッドＢを再現された本来の食感を損なうことなく維持することができる。
【産業上の利用可能性】
【００４６】
本発明の焼成補助調理器具１は、ハードクラスト系ブレッドに限らず、さまざまな生地の食パンに適用可能である。
【符号の説明】
【００４７】
１  焼成補助調理器具
２  基体
２ａ、２ｂ枠体
２ａｈ、２ｂｈ横枠
２ａｖ、２ｂｖ縦枠
３ａ、３ｂ端板
４、４ｈ、４ｌ  可動板
５  可動板間隔調節部
６  調節軸
６ａ固定パイプ
６ｂネジシャフト
７  案内軸部
７ａガイドパイプ
７ｂ可動軸
８  回動操作部
９  取出し／持上げ用レバー
９ａ回動軸
９ｂ操作軸
９ａｌ、９ｂｌ先端リング部
９ｂｒ中央リング部
９ｔ突起部
１０操作棒
１０ｆ先端フック
２０付勢手段
２０ｃｐコイル部
２１ガイドパイプ
３０スペーサ部材
Ｂ  ハードクラスト系ブレッド
Ｂｐブロック
【図１】
2015051074.tif 000003
【図２】
2015051074.tif 000004
【図３】
2015051074.tif 000005
【図４】
2015051074.tif 000006
【図５】
2015051074.tif 000007
【図６】
2015051074.tif 000008
【図７】
2015051074.tif 000009
【図８】
2015051074.tif 000010
【図９】
2015051074.tif 000011
【図１０】
2015051074.tif 000012